(57)【要約】【課題】複数の配信系を介して配信されるカラオケコンテンツを受信・蓄積することができ、しかも蓄積した各カラオケコンテンツを容易に保守・管理することができるカラオケ装置を提供する。【解決手段】通信カラオケ装置のハードディスクにＢＢ配信系ＫＣ記憶領域６３１、ＮＢ配信系ＫＣ記憶領域６３２、ＤＢ台帳記憶領域６３３等を設ける。ＢＢ配信系ＫＣ記憶領域６３１には、ＢＢ配信系を介して配信されるカラオケコンテンツ等が記憶され、ＮＢ配信系ＫＣ記憶領域６３２には、ＮＢ配信系を介して配信されるカラオケコンテンツ等が記憶される。また、ＤＢ台帳記憶領域６３３には、各カラオケコンテンツに含まれる各ファイルを識別するためのファイル識別情報や各ファイルの格納場所を示すディレクトリ情報等を登録したデータベース台帳が記憶される。【選択図】　　　図３
2004102084.tif 000002
【特許請求の範囲】
【請求項１】
それぞれ異なる配信系を介して配信されるカラオケコンテンツを受信する複数の受信手段と、
各配信系毎に異なる記憶領域が割り当てられている記憶手段と、
各配信系を介して配信されるカラオケコンテンツを対応する記憶領域に記憶する制御手段と
を具備することを特徴とするカラオケ装置。
【請求項２】
前記各受信手段は、各配信系を介して配信されるカラオケコンテンツのほか、これまでに各配信系を介して配信されたカラオケコンテンツの履歴を表す配信履歴ファイルを受信し、
前記制御手段は、前記各配信系を介して配信されるカラオケコンテンツのほか、前記各配信系を介して配信される配信履歴ファイルを対応する記憶領域に記憶することを特徴とする請求項１に記載のカラオケ装置。
【発明の詳細な説明】
【０００１】
【発明の属する技術分野】
本発明は、通信ネットワークを介してカラオケコンテンツを受信するカラオケ装置に関する。
【０００２】
【従来の技術】
カラオケ分野においては、業務用カラオケ装置として通信カラオケ装置が広く普及している。通信カラオケ装置とは、カラオケ曲の再生や対応する背景画像の表示等を行うためのカラオケコンテンツを、センタ局からＩＳＤＮ回線等を介して受信・蓄積する機能を備えたカラオケ装置である。このように、現在広く普及している通信カラオケシステムは、種々のカラオケコンテンツを蓄積するセンタ局と、このセンタ局にＩＳＤＮ回線等を介して接続される複数の通信カラオケ装置から構成されている（例えば、特許文献１参照）。
【０００３】
【特許文献１】
特開平９−１２７９６６号公報（第１頁、第１図）
【０００４】
【発明が解決しようとする課題】
ところで、近年においては、著しい通信技術の発展により上記ＩＳＤＮ回線等（いわゆるナローバンド）を利用した通信よりも高速な通信を実現するＣＡＴＶ、ＦＴＴＨ等の通信回線（いわゆるブロードバンド）が急速に普及しつつある。
かかるブロードバンドを利用して上記カラオケコンテンツを配信することができれば、高速な通信速度を十分に生かして、より品位の高い背景画像データをカラオケコンテンツに含めて配信するなど、従来の配信サービスにおいては実現し得ない新たな配信サービスを実現することができるが、未だブロードバンド配信に対応した通信カラオケ装置は提供されていない。
【０００５】
本発明は、上述した事情を鑑みてなされたものであり、複数の配信系を介して配信されるカラオケコンテンツを受信・蓄積することができ、しかも蓄積した各カラオケコンテンツを容易に保守・管理することができるカラオケ装置を提供することを目的とする。
【０００６】
【課題を解決するための手段】
上述した問題を解決するため、本発明に係るカラオケ装置は、それぞれ異なる配信系を介して配信されるカラオケコンテンツを受信する複数の受信手段と、各配信系毎に異なる記憶領域が割り当てられている記憶手段と、各配信系を介して配信されるカラオケコンテンツを対応する記憶領域に記憶する制御手段とを具備することを特徴とする。
かかる構成によれば、複数の配信系を介して配信されるカラオケコンテンツが記憶手段に設定された異なる記憶領域にそれぞれ格納される。このように、各配信系を介して配信されるカラオケコンテンツは、配信系毎に記憶手段の所定の記憶領域に集約して格納されるため、配信系毎に保守・管理を容易かつ正確に行うことができる。
【０００７】
【発明の実施の形態】
以下、本発明の実施の形態について説明する。
【０００８】
Ａ．本実施形態
（１）実施形態の構成
図１は、本実施形態に係る通信カラオケシステム１００の構成を示す図である。
通信カラオケシステム１００は、ＣＡＴＶ等のインターネットＶＰＮ網３００を介して種々のカラオケコンテンツ等を高速配信（ブロードバンド配信）する第１コンテンツ・サーバ２００と、ＩＳＤＮ等の公衆網５００を介して種々のカラオケコンテンツを低速配信（ナローバンド配信）する第２コンテンツ・サーバ４００と、第１コンテンツ・サーバ２００から配信されるカラオケコンテンツ等をブロードバンドルータ６０１等を介して受信・蓄積する一方、第２コンテンツ・サーバ４００からターミナルアダプタ６０２等を介して受信・蓄積する複数の通信カラオケ装置６００−ｋ（１≦ｋ≦ｎ）とを備えている。
【０００９】
なお、以下の説明において、複数のカラオケ装置６００−ｋを特に区別する必要がない場合には、単にカラオケ装置６００と呼ぶ。また、説明の便宜上、第１コンテンツ・サーバ２００→インターネットＶＰＮ網３００→ブロードバンドルータ６０１といった配信系をＢＢ配信系と呼び、第２コンテンツ・サーバ４００→公衆網５００→ターミナルアダプタ６０２といった配信系をＮＢ配信系と呼ぶ。
【００１０】
ここで、図２は、通信カラオケ装置６００のハードウェア構成を示す図である。
コントローラ６１０は、ＣＰＵ、ＲＯＭ、ＲＡＭ等により構成され、ＲＯＭに格納されている各種制御プログラム等を実行することにより、通信カラオケ装置６００の各部を中枢的に制御する。
通信インタフェース６２０は、第１コンテンツ・サーバ２００及び第２コンテンツ・サーバ４００との間でカラオケコンテンツ、各種データ等を授受するための手段であり、第１通信インタフェース６２１と、第２通信インタフェース６２２とを備えている。
第１通信インタフェース６２１は、ケーブル等を介してブロードバンドルータ６０１に接続され、ＢＢ配信系を介して配信されるカラオケコンテンツ、これまでにＢＢ配信系を介して配信されたカラオケコンテンツの履歴を表す配信履歴ファイルを受信する一方、インターネットＶＰＮ網３００等を介して第１コンテンツ・サーバ２００に各種データ等を送信する。
第２通信インタフェース６２２は、ケーブル等を介してターミナルアダプタ６０２に接続され、ＮＢ配信系を介して配信されるカラオケコンテンツ、これまでにＮＢ配信系を介して配信されたカラオケコンテンツの履歴を表す配信履歴ファイルを受信する一方、公衆網５００等を介して第２コンテンツ・サーバ４００に各種データ等を送信する。
【００１１】
各通信インタフェースは、各配信系を介して配信されるカラオケコンテンツ、配信履歴ファイルを受信すると、これをコントローラ６１０に供給する。コントローラ６１０は、各通信インタフェースを介して供給されるカラオケコンテンツ、配信履歴ファイルを受け取ると、受け取ったカラオケコンテンツ、配信履歴ファイルがいずれの配信系を介して配信されたものであるかを判断する。そして、コントローラ６１０は、かかる判断に基づき受け取ったカラオケコンテンツ、配信履歴ファイルをハードディスク６３０の所定領域に格納する（詳細は後述）。なお、コントローラ６１０は、上記カラオケコンテンツ、配信履歴ファイルの供給元となる通信インタフェースを判別（あるいは通信プロトコルを判別）等することにより、該カラオケコンテンツ、配信履歴ファイルがＢＢ配信系、ＮＢ配信系のいずれの配信系を介して配信されたものであるかを判断する。
【００１２】
ここで、図３は、ハードディスク６３０の記憶内容等を説明するための図であり、図４は、ハードディスク６３０に記憶されるデータベース台帳ＤＬを例示した図である。
ハードディスク６３０は、ＢＢ配信系及びＮＢ配信系を介して配信されるカラオケコンテンツ等を記憶する手段であり、ＢＢ配信系ＫＣ記憶領域６３１、ＮＢ配信系ＫＣ記憶領域６３２、ＤＢ台帳記憶領域６３３を備えている。ＢＢ配信系ＫＣ記憶領域６３１には、ＢＢ配信系を介して配信されるカラオケコンテンツ、配信履歴ファイルが記憶され、ＮＢ配信系ＫＣ記憶領域６３２には、ＮＢ配信系を介して配信されるカラオケコンテンツ、配信履歴ファイルが記憶される。かかる配信履歴ファイルは、配信が行われる度（例えば１回に３０曲分のカラオケファイルを配信した場合には３０曲に１ヶ）に配信されるファイルである。
また、ＤＢ台帳記憶領域６３３には、各カラオケコンテンツに含まれる各ファイルを識別するためのファイル識別情報や各ファイルの格納場所を示すディレクトリ情報等を登録したデータベース台帳ＤＬが記憶される（図４参照）。このように、本実施形態に係るデータベース台帳ＤＬには、ハードディスク６３０に記憶されている全てのカラオケコンテンツに関する情報が登録されている。
【００１３】
ここで、図５は、各配信系を介して配信されるカラオケコンテンツの構成を示す図である。
ＮＢ配信系を介して配信されるカラオケコンテンツは、楽音を発生させるための演奏データ（例えば、ＭＩＤＩデータ）、カラオケ演奏に応じた歌詞テロップを表示させるための歌詞データ、カラオケ演奏に応じたバックコーラスをデジタルデータに変換したコーラスデータを含む楽曲ファイルＭＦにより構成されている。なお、かかるカラオケコンテンツに対応する映像データは、予めハードディスク６３０の所定領域に格納されており、基本的にはＮＢ配信系を介して配信されることはない。このハードディスク６３０の所定領域に格納されている映像データは、各楽曲に固有のものではなく、複数の楽曲に共通の映像データ（つまり、複数の楽曲を再生する際に使い回して利用される映像データ）であり、例えばＤＶＤ等の記憶媒体から取得されるデータである。
【００１４】
一方、ＢＢ配信系を介して配信されるカラオケコンテンツは、上記楽曲ファイルＭＦのほか、上記コーラスデータによって実現されるバックコーラスよりも厚みのあるバックコーラスを可能とするコーラスデータ（以下、「拡張コーラスデータ」という）や、その楽曲にのみ対応した固有の映像（例えば、歌手本人の映像）を表示するための映像データ（以下、「１対１映像データ」という）を含んで構成されている。コントローラ６１０は、ＢＢ配信系を介して配信される拡張コーラスデータ、１対１映像データを受け取ると、対応する楽曲が再生される際にかかる拡張コーラスデータ、１対１映像データが選択されるように、上記データベース台帳ＤＬの書き換えを行う。
【００１５】
図２に戻り、リモコン装置６４０は、各種操作キー、赤外線通信機能等を備え、キー操作によって入力されるカラオケのリクエスト番号等に応じた信号を赤外線信号として送信する。
リモコン受信部６５０は、リモコン装置６４０から送信される赤外線信号をリクエスト番号などを表すデータに復元してコントローラ６１０に供給する。コントローラ６１０は、リモコン受信部６５０を介して受信したリクエスト番号に基づいてデータベース台帳ＤＬを検索し、対応する演奏データ、歌詞データ、コーラスデータ（ＢＢ配信系であれば拡張コーラスデータ）、映像データ（ＢＢ配信系であれば１対１映像データ）をハードディスク６３０から読み出す。そして、コントローラ６１０は、読み出した各データを楽音発生部６６０や映像デコーダ６７０に供給する。
【００１６】
楽音発生部６６０は、コントローラ６１０から供給される演奏データに基づいて電子的な楽音信号を生成する音源や、コーラスデータ（ＢＢ配信系であれば拡張コーラスデータ）の波形データをデコードして音声信号を復調するデコーダ等を備え、楽器の演奏音やバックコーラスなど（これらを総称してカラオケ演奏音という）を発生する。
オーディオ回路６６１は、上記カラオケ演奏音とマイク６６２から入力されるユーザ等の歌唱音信号とをミキシングし、図示せぬアンプ、スピーカ６６３を介して外部へ放音する。
【００１７】
映像デコーダ６７０は、コントローラ６１０から供給される歌詞データや映像データ（ＢＢ配信系データであれば１対１映像データ）をデコードすることによって歌詞テロップなどの内部画像や背景画像を生成し、これを表示制御部６７１に供給する。
表示制御部６７１は、映像デコーダ６７０から供給される内部画像及び背景画像を合成し、これをモニタ６７２に表示する。
操作部６８０は、上記リモコン受信部６５０を介して入力されるカラオケのリクエスト番号等を表示する操作表示パネル６８１、カラオケのリクエスト番号を入力したり音高や再生テンポなどを調整するためのパネルスイッチ６８２等を備えている。以上が本実施形態に係る通信カラオケ装置６００の詳細構成である。
【００１８】
（２）実施形態の動作
＜カラオケコンテンツの配信契約動作＞
複数の通信カラオケ装置６００を購入したカラオケ店の店主は、カラオケコンテンツの配信に関し、ＮＢ配信系による配信のみを希望するか、ＮＢ配信系及びＢＢ配信系による配信を希望するかを決定する。ここで、例えばＮＢ配信系及びＢＢ配信系による配信を希望した場合、カラオケ店の店主は、後述するカラオケ装置６００のメンテナンス業者等との間でＮＢ配信系及びＢＢ配信系を介して配信されるカラオケコンテンツを利用可能とするための契約を結ぶ。メンテナンス業者等は、かかる契約を締結すると、通信カラオケ装置６００の操作部６８０等を適宜操作し、ＮＢ配信系及びＢＢ配信系を介して配信されるカラオケコンテンツを利用可能とするための設定を行う。
【００１９】
一方、ＮＢ配信系による配信のみを希望した場合、カラオケ店の店主は、メンテナンス業者等との間でＮＢ配信系を介して配信されるカラオケコンテンツのみを利用可能とするための契約を結ぶ。メンテナンス業者等は、かかる契約を締結すると、通信カラオケ装置６００の操作部６８０等を適宜操作し、ＮＢ配信系を介して配信されるカラオケコンテンツのみを利用可能とするための設定を行う。かかる設定がなされると、ハードディスク６３０のＢＢ配信系ＫＣ記憶領域６３１はマスキング等され、以後、ＢＢ配信系を介して配信されるカラオケコンテンツの利用を可能する契約が締結されない限り、ＢＢ配信系を介して配信されるカラオケコンテンツは当該通信カラオケ装置６００において利用できない状態となる。
【００２０】
すなわち、かかる設定がなされると、コントローラ６１０は、メンテナンス業者等によって指示されたＢＢ配信系を介して配信されるカラオケコンテンツのみを対応する記憶領域に記憶し、指示のないＮＢ配信系を介して配信されるカラオケコンテンツＢＢについては対応する記憶領域に記憶しない。
以下、ＮＢ配信系及びＢＢ配信系を介して配信されるカラオケコンテンツを利用可能とするための設定がなされた通信カラオケ装置６００の動作について説明を行う。
【００２１】
＜カラオケコンテンツダウンロード時の動作＞
ＢＢ配信系を介してカラオケコンテンツが配信されると、コントローラ６１０は第１カラオケコンテンツをＢＢ配信系ＫＣ記憶領域６３１に格納する（図３参照）。このＢＢ配信系によるカラオケコンテンツの配信は、例えば１ヶ月に数回程度の頻度で定期的に行われる。コントローラ６１０は、配信されたカラオケコンテンツをＢＢ配信系ＫＣ記憶領域６３１に格納すると、当該カラオケコンテンツに含まれる各ファイルのファイル識別情報やディレクトリ情報をデータベース台帳ＤＬ（図４参照）に登録する。一方、ＮＢ配信系を介してカラオケコンテンツが配信されると、コントローラ６１０はこのカラオケコンテンツをＮＢ配信系ＫＣ記憶領域６３２に格納する（図３参照）。なお、この後の動作については上記とほぼ同様に説明することができるため割愛する。以上説明した動作が行われることにより、配信毎の新たなカラオケコンテンツが対応する記憶領域に順次格納される一方、データベース台帳ＤＬには当該時点において各記憶領域に記憶されている全てのカラオケコンテンツのファイル情報及びディレクトリ情報が登録される。
【００２２】
ここで、再び図５を参照されたい。図５に示すように、ＢＢ配信系を介して配信されるカラオケコンテンツは、ＮＢ配信系を介して配信されるカラオケコンテンツと同じ楽曲ファイルＭＦを含むほか、拡張コーラスデータや、１対１映像データを含んでいる。ここで、各カラオケコンテンツに含まれるデータが相違するのは、次の理由による。
【００２３】
すなわち、ＮＢ配信系においては、配信速度が低速であるためデータ量の大きなカラオケコンテンツを配信することは困難であったが、ＢＢ配信系においては、ＮＢ配信系よりも十分に高い配信速度が担保されるため、データ量の比較的大きな拡張コーラスデータや１対１映像データを含むカラオケコンテンツであっても迅速に配信することができる。
【００２４】
なお、実際には、図５に示すようにある楽曲に対応するＢＢ配信系カラオケコンテンツ及びＮＢ配信系カラオケコンテンツがいずれもハードディスク６３０に格納される場合がある。かかる場合を想定し、例えば演奏データについては、ＮＢ配信系によるものを優先的に選択し、コーラスデータ及び映像データについては、ＢＢ配信系によるもの（すなわち、拡張コーラスデータ及び１対１映像データ）を優先的に選択するように予め優先順位を設定しておく。これにより、ＮＢ配信系による楽曲データを選択するとともに、ＮＢ配信系によるコーラスデータ及び映像データを選択する場合と比較して、より厚みのあるコーラス、臨場感ある映像表示等を実現することができる。
【００２５】
また、カラオケコンテンツの配信契約によっては、例えば９月まではＮＢ配信系及びＢＢ配信系を介して配信されるカラオケコンテンツを利用可能とする契約を結び、その後（１０月以降）においては、ＮＢ配信系を介して配信されるカラオケコンテンツのみを利用可能とする契約を結ぶといった場合も想定される。かかる場合を想定し、例えばＢＢ配信系による配信契約がきれる１０月以降については、ＢＢ配信系を介して配信されたカラオケコンテンツを一切利用できないようにする等の策を講ずるようにしても良い。
【００２６】
＜ハードディスクのメンテナンス動作＞
メンテナンス業者等は、上述した配信契約に基づいて通信カラオケ装置６００のメンテナンス作業を実行する。例えば、ＮＢ配信系及びＢＢ配信系を介して配信されるカラオケコンテンツを利用可能とする旨の契約が締結されている場合、メンテナンス業者等は、通信カラオケ装置６００等を適宜操作してＢＢ配信系ＫＣ記憶領域６３１の診断（以下、ＢＢ配信系データベース診断という）及びＮＢ配信系ＫＣ記憶領域６３２の診断（以下、ＮＢ配信系データベース診断という）を実行すべき旨を入力する。
【００２７】
かかる入力が行われると、コントローラ６１０は、まず、ＢＢ配信系データベース診断を実行する。具体的には、コントローラ６１０は、ＢＢ配信系ＫＣ記憶領域６３１に格納されている前述した配信履歴ファイルと、ＤＢ台帳記憶領域６３３に格納されているデータベース台帳ＤＬとを比較する。比較の結果、配信履歴ファイルに記述されているファイル識別情報等とデータベース台帳ＤＬに記録されているファイル識別情報等との間に相違が生じていると判断すると、コントローラ６１０は、相違が生じているファイル識別情報等をモニタ６７２に表示し、ＢＢ配信系データベース診断を終了する。かかるＢＢ配信系データベース診断を終了すると、次にコントローラ６１０は、ＮＢ配信系データベース診断を実行する。なお、ＮＢ配信系データベース診断の動作については、データベース台帳ＤＬと比較すべき対象がＮＢ配信系ＫＣ記憶領域６３２に格納されている配信履歴ファイルである点を除けば、ＢＢ配信系データベース診断の動作とほぼ同様であるため、説明を割愛する。
【００２８】
以上説明したＢＢ配信系及びＮＢ配信系データベース診断が終了すると、メンテナンス業者等は、通信カラオケ装置６００とメンテナンス用の保守端末７００とを接続する（図７参照）。ここで、メンテナンス用の保守端末７００には、当該時点までにＢＢ配信系を介して配信された全てのカラオケコンテンツ及びＮＢ配信系を介して配信された全てのカラオケコンテンツが格納されている。なお、本実施形態では、各配信系を介して配信される全てのカラオケコンテンツが１台の保守端末７００に格納される場合を想定するが、例えばＢＢ配信系を介して配信されるカラオケコンテンツが格納される第１の保守端末と、ＮＢ配信系を介して配信されるカラオケコンテンツが格納される第２の保守端末とを別々に設けるようにしても良い。
【００２９】
さて、メンテナンス業者等は、該保守端末７００を適宜操作して保守端末７００に格納されているＢＢ配信系カラオケコンテンツを通信カラオケ装置６００にコピー（以下、ＢＢ配信系保守端末コピーという）するとともに、ＮＢ配信系カラオケコンテンツを通信カラオケ装置６００にコピー（以下、ＮＢ配信系保守端末コピーという）すべき旨を入力する。
【００３０】
かかる操作が行われると、通信カラオケ装置６００のコントローラ６１０は、まず、上述したＢＢ配信系データベース診断において発見された配信履歴ファイルとデータベース台帳ＤＬとの相違部分についてＢＢ配信系保守端末コピーを行う。一例を挙げて説明すると、データベース台帳ＤＬには記述されておらず、ＢＢ配信系ＫＣ記憶領域６３１に格納されている配信履歴ファイルにのみ登録されているファイル識別情報等が存在する場合、コントローラ６１０は、このファイル識別情報等に対応するカラオケコンテンツを保守端末７００から取得し、ハードディスク６３０のＢＢ配信系ＫＣ記憶領域６３１にコピーする。コピーが終了すると、コントローラ６１０は、データベース台帳ＤＬに記述されている内容を更新し、ＢＢ配信系保守端末コピーを終了する。かかるＢＢ配信系保守端末コピーを終了すると、次にコントローラ６１０は、ＮＢ配信系保守端末コピーを実行する。なお、ＮＢ配信系保守端末コピーの動作については、ＢＢ配信系保守端末コピーの動作とほぼ同様に説明することができるため、省略する。
【００３１】
また、このように、本実施形態では、データベース台帳ＤＬには記述されておらず、配信履歴ファイルにのみ登録されているファイル識別情報等が存在する場合、このファイル識別情報等に対応するカラオケコンテンツのみを通信カラオケ装置６００にコピーしたが、例えば全コピーするようにしても良い。ＢＢ配信系保守端末コピーの全コピーを例に説明すると、まずコントローラ６１０は、ＢＢ配信系ＫＣ記憶領域６３１に格納されている全てのカラオケコンテンツを削除する。次いでコントローラ６１０は、保守端末７００から当該時点までにＢＢ配信系を介して配信された全てのカラオケコンテンツを取得し、これら全てのカラオケコンテンツをＢＢ配信系ＫＣ記憶領域６３１に格納する。そして、最後にコントローラ６１０は、データベース台帳ＤＬに記述されいる内容を更新し、ＢＢ配信系保守端末コピーを終了する。なお、ＮＢ配信系保守端末コピーの全コピーについては、ＢＢ配信系保守端末コピーの全コピーとほぼに説明することができるため、割愛する。
【００３２】
以上、ＮＢ配信系及びＢＢ配信系を介して配信されるカラオケコンテンツを利用可能とする旨の契約が締結されている場合について説明したが、実際には、ＮＢ配信系を介して配信されるカラオケコンテンツのみを利用可能とする旨の契約が締結されている場合もある。かかる場合には、契約に対応したデータベース診断及び保守端末コピーを実行すれば良い。詳述すると、ＮＢ配信系を介して配信されるカラオケコンテンツのみを利用可能とする旨の契約が締結されている場合には、ＮＢ配信系データベース診断及びＮＢ配信系保守端末コピーのみを実行する。ここで、ＮＢ配信系を介して配信されるカラオケコンテンツは、ハードディスク６３０のＮＢ配信系ＫＣ記憶領域６３２にのみ格納されているため、ＮＢ配信系データベース診断及びＮＢ配信系保守端末コピーを迅速かつ正確に実行することができる。
【００３３】
以上説明したように、本実施形態に係る通信カラオケ装置によれば、ＢＢ配信系を介して配信されるカラオケコンテンツとＮＢ配信系を介して配信されるカラオケコンテンツがそれぞれハードディスク６３０の異なる記憶領域、すなわちＢＢ配信系ＫＣ記憶領域６３１及びＮＢ配信系ＫＣ記憶領域６３２に格納される。これにより、各配信系を介して配信されるカラオケコンテンツの保守・管理を容易かつ正確に行うことができる。
【００３４】
また、通信カラオケ装置６００には、配信が行われる度（例えば１回に３０曲分のカラオケファイルを配信した場合には３０曲に１ヶ）に配信されるファイルであって、これまでに各配信系を介して配信されたカラオケコンテンツの履歴を表す配信履歴ファイルが配信されるため、通信カラオケ装置６００のコントローラ６１０は、この配信履歴ファイルを参照することで、各配信系毎のカラオケコンテンツの配信履歴を迅速かつ正確に把握することができる。
【００３５】
（３）変形例
上述した本実施形態では、図５に示す構成を有するカラオケコンテンツを想定して説明を行ったが、他の構成を有するカラオケコンテンツにも適用可能である。ここで、図６は、各配信系を介して配信される他のカラオケコンテンツの構成を示す図である。ＮＢ配信系を介して配信されるカラオケコンテンツには、例えばカラオケ演奏終了時に起動されるカラオケ用のゲームプログラム等が含まれる一方、ＢＢ配信系を介して配信されるカラオケコンテンツには、上記カラオケ用のゲームプログラム等のほか、カラオケ演奏の曲間（ユーザによって次のカラオケ曲が選択されるまでの空き時間）に再生すべきプロモーション映像データ（再生すべき映像及び音声に対応したデータを含む）が含まれている。このように、図５に示す構成とは異なる構成を有するカラオケコンテンツにも適用可能である。なお、上記プロモーション映像データについては、上記曲間時に再生するほか、操作部３８０から入力される指示に従って再生するようにしても良い。
【００３６】
また、上述した本実施形態では、各配信系の通信速度が異なる場合を例に説明したが、例えば各通信系の通信速度がほぼ同様の場合にも適用可能である。かかる場合であっても、各配信系を介して配信されるカラオケコンテンツの保守・管理を容易かつ正確に行うことができるといった効果を享受することができる。
また、上述した本実施形態では、ＢＢ配信系及びＮＢ配信系の２つの配信系を介してカラオケコンテンツが配信される場合について説明したが、３つ以上の配信系を介してカラオケコンテンツが配信される場合にも適用できるのは勿論である。
【００３７】
【発明の効果】
以上説明したように、本発明によれば、複数の配信系を介して配信されるカラオケコンテンツを受信・蓄積することができ、しかも蓄積した各カラオケコンテンツを容易に保守・管理することができる。
【図面の簡単な説明】
【図１】本実施形態における通信カラオケシステムの構成を示す図である。
【図２】同実施形態に係る通信カラオケ装置のハードウェア構成を示す図である。
【図３】同実施形態に係るハードディスクの記憶内容を説明するための図である。
【図４】同実施形態に係るデータベース台帳を例示した図である。
【図５】同実施形態に係る各配信系を介して配信されるカラオケコンテンツを比較した図である。
【図６】変形例に係る各配信系を介して配信されるカラオケコンテンツを比較した図である。
【図７】通信カラオケ装置と保守端末との接続例を示す図である。
【符号の説明】
１００・・・通信カラオケシステム、２００・・・第１コンテンツ・サーバ、３００・・・インターネットＶＰＮ網、４００・・・第２コンテンツ・サーバ、５００・・・公衆網、６００・・・通信カラオケ装置、６１０・・・コントローラ、６２０・・・通信インタフェース、６２１・・・第１通信インタフェース、６２２・・・第２通信インタフェース、６３０・・・ハードディスク、６３１・・・ＢＢ配信系ＫＣ記憶領域、６３２・・・ＮＢ配信系ＫＣ記憶領域、６３３・・・ＤＢ台帳記憶領域、６６０・・・楽音発生部、６７０・・・映像デコーダ、６８０・・・操作部、ＤＬ・・・データベース台帳、ＭＦ・・・楽曲ファイル。
【図１】
2004102084.tif 000003
【図２】
2004102084.tif 000004
【図３】
2004102084.tif 000005
【図４】
2004102084.tif 000006
【図５】
2004102084.tif 000007
【図６】
2004102084.tif 000008
【図７】
2004102084.tif 000009